(57)【特許請求の範囲】
【請求項１】
ＥＤＩＤ情報を格納する記憶部と、
他の映像処理装置に対して通信路を介してＨＤＭＩ規格に準ずる通信を行い、前記記憶部に格納された前記ＥＤＩＤ情報を送信し、前記他の映像処理装置から映像信号を受信する通信部と、
前記通信部が受信した前記映像信号を再生する再生部と、
前記映像信号を表示する表示部と、
前記再生部が前記映像信号を正しく再生できなかった場合に、前記記憶部が格納している前記ＥＤＩＤ情報を変更する変更部と、
を具備する映像処理装置。
【請求項２】
ＥＤＩＤ情報を格納する記憶部と、
通信路を介して前記ＨＤＭＩ規格に準じて他の映像処理装置と接続されている場合は、前記他の映像処理装置に対して前記ＥＤＩＤ情報を送信し、前記他の映像処理装置から映像信号を受信する通信部と、
前記通信部が受信した前記映像信号を再生する再生部と、
前記通信路を介して前記ＨＤＭＩ規格に準じて前記他の映像処理装置と接続されていない場合は、前記ＨＤＭＩ規格に準ずる接続をうながすメッセージを表示する表示部と、
前記再生部が前記映像信号を正しく再生できなかった場合に、前記記憶部が格納している前記ＥＤＩＤ情報を変更する変更部と、
を具備する映像処理装置。
【請求項３】
前記通信部は、前記他の映像処理装置に対して前記通信路を介してＨＤＭＩ規格に準ずる通信を試し、前記通信路を介して前記ＨＤＭＩ規格に準じて他の映像処理装置と接続されているか否かをチェックする請求項２記載の映像処理装置。
【請求項４】
前記変更部は、供給される操作信号に応じて、前記記憶部が格納している前記ＥＤＩＤ情報を変更する請求項１又は２記載の映像処理装置。
【請求項５】
前記変更部は、前記再生部が前記映像信号を正しく再生できたか否かを問う画面を表示して、前記再生部が前記映像信号を正しく再生できなかったことを意味する操作信号を受けると、前記記憶部が格納している前記ＥＤＩＤ情報を変更する請求項１又は２記載の映像処理装置。
【請求項６】
前記変更部は、前記再生部が前記映像信号を正しく再生できなかったことを検出すると、前記記憶部が格納している前記ＥＤＩＤ情報を変更する請求項１又は２記載の映像処理装置。
【請求項７】
前記変更部は、前記ＥＤＩＤ情報が有するＬｉｐＳｙｎｃ、ｘｖＹＣＣ、ＤｅｅｐＣｏｌｏｒの制御情報のオン・オフについて変更することで、前記ＥＤＩＤ情報を変更する請求項１又は２記載の映像処理装置。
【請求項８】
前記変更部は、ＬｉｐＳｙｎｃ、ｘｖＹＣＣ、ＤｅｅｐＣｏｌｏｒの制御情報のオン・オフについての組み合わせとして８パターンの前記ＥＤＩＤ情報を用意しておき、これらの中から選択する請求項１又は２記載の映像処理装置。
【請求項９】
前記変更部は、ＤｅｅｐＣｏｌｏｒ、ｘｖＹＣＣ、ＬｉｐＳｙｎｃの制御情報についてそれぞれオン・オフを試した結果、オフにしたとき前記再生部が前記映像信号を正しく再生できた制御情報が複数存在した場合、ＤｅｅｐＣｏｌｏｒ、ｘｖＹＣＣ、ＬｉｐＳｙｎｃの制御情報について優先順位を設け、この優先順位に従って一つの制御情報だけを選んでオフする請求項１又は２記載の映像処理装置。
【請求項１０】
前記変更部は、ＤｅｅｐＣｏｌｏｒ、ｘｖＹＣＣ、ＬｉｐＳｙｎｃの制御情報についてそれぞれオン・オフを試した結果、オフにしたとき前記再生部が前記映像信号を正しく再生できた制御情報が複数存在した場合、これらＤｅｅｐＣｏｌｏｒ、ｘｖＹＣＣ、ＬｉｐＳｙｎｃの制御情報から一つを選択させるために画面表示させるための画像情報を生成する請求項１又は２記載の映像処理装置。
【請求項１１】
前記制御部は、前記変更部が前記ＥＤＩＤ情報を変更中は電源をオフしない旨の表示を行なうための画像情報を生成する請求項１又は２記載の映像処理装置。
【請求項１２】
ＥＤＩＤ情報を記憶した第１の映像処理装置は、第２の映像処理装置に対して通信路を介してＨＤＭＩ規格に準ずる通信を行い、前記ＥＤＩＤ情報を送信し、前記第２の映像処理装置から前記通信路を介して映像信号を受信し、
前記第１の映像処理装置は、前記映像信号を再生し、
前記第１の映像処理装置は、前記映像信号を表示し、
前記第１の映像処理装置は、前記映像信号を正しく再生できなかった場合に、前記ＥＤＩＤ情報を変更する映像処理方法。
【請求項１３】
ＥＤＩＤ情報を記憶した第１の映像処理装置が、通信路を介して前記ＨＤＭＩ規格に準じて第２の映像処理装置と接続されていない場合は、前記第１の映像処理装置は、前記ＨＤＭＩ規格に準ずる接続をうながすメッセージを表示し、前記通信路を介して前記ＨＤＭＩ規格に準じて前記第２の映像処理装置と接続されている場合は、前記第２の映像処理装置に対して前記ＥＤＩＤ情報を送信し、前記他の映像処理装置から映像信号を受信し、
前記第１の映像処理装置は、前記映像信号を再生し、
前記第１の映像処理装置は、前記映像信号を正しく再生できなかった場合に、前記ＥＤＩＤ情報を変更する映像処理方法。
【発明の詳細な説明】
【技術分野】
【０００１】
この発明は、ＨＤＭＩ（High-Definition Multimedia Interface）規格による通信機能をもった映像処理装置であって、通信状況に応じてＨＤＭＩのＥＤＩＤ（Extended Display Identification Data）情報を書き換える映像処理装置に関する。
【背景技術】
【０００２】
ＨＤＭＩでは、ＨＤＭＩ１．３という規格から、ＬｉｐＳｙｎｃ, ｘｖＹＣＣ, ＤｅｅｐＣｏｌｏｒ等の制御情報がサポートされている。これらに関する情報がテレビ側のＥＤＩＤ（Extended Display Identification Data）という制御情報に記載されており、ソース機器側はこのＥＤＩＤを見てこれに最適な信号を送信する。ここで、ＬｉｐＳｙｎｃは音声遅延制御について、ｘｖＹＣＣは受信できる拡張色空間について、ＤｅｅｐＣｏｌｏｒは受信できる色深度についての情報である。
【０００３】
しかし、ＨＤＭＩ１．３に対応していないソース機器の中には、ＥＤＩＤにＨＤＭＩ１．３に対する記述があると誤動作をしてしまうものがあり（ＤＶＩモードとして動作し音声が出なくなる）、それらを正常動作させるためには、ＥＤＩＤをＨＤＭＩ１.２のものに戻す必要がある。
【０００４】
このようにＨＤＭＩの通信システムにおいて、ＥＤＩＤの送受信に失敗した場合のシンク機器での対応方法が示されている技術が知られている。
【０００５】
特許文献１は、ＨＤＭＩの通信システムのシンク機器にて、本来のＥＤＩＤが送られずにＥＤＩＤ以外の信号を受信してしまった場合、ホットプラグをオフ、又は、レシーバセンスをオフすることで、対応する技術が示されている。
【先行技術文献】
【特許文献】
【０００６】
【特許文献１】特開２００７−０７８９８０号公報
【発明の概要】
【発明が解決しようとする課題】
【０００７】
しかし、特許文献１の従来技術は、ＥＤＩＤの供給に失敗した場合、シンク機器で機能を停止してしまう技術であり、どのようにＥＤＩＤを変更すべきかの本質的な問題の解決を示してはいない。
【０００８】
本発明は、不適切なＥＤＩＤを適正に変更する映像処理装置及び映像処理方法を提供することを目的としている。
【課題を解決するための手段】
【０００９】
課題を解決するための一実施形態は、
ＥＤＩＤ情報を格納する記憶部（１３１）と、
他の映像処理装置（３０）に対して通信路（３０１）を介してＨＤＭＩ規格に準じる通信を行い、前記記憶部に格納された前記ＥＤＩＤ情報を供給し、前記他の映像処理装置から前記通信路を介して映像音声信号を受信する通信部(１１１)と、
前記通信部が受信した前記映像音声信号を再生する再生部（１２３）と、
前記再生部が前記映像音声信号を正しく再生できなかった場合に、前記記憶部が格納している前記ＥＤＩＤ情報を変更する変更部（１１１−１）と、
を具備することを特徴とする映像処理装置である。
【発明の効果】
【００１０】
ソース機器が最新のＥＤＩＤに対応する機能がないため不適切な映像音声信号をシンク機器に送ってしまいシンク機器で音声等が再生できないような場合、シンク機器においてＥＤＩＤを適宜変更して再びソース機器に送ることで、適正な映像音声信号をソース機器からシンク機器に送ることができるので、再生処理を確実に行なうことができる。
【図面の簡単な説明】
【００１１】
【図１】本発明の一実施形態に係るシンク機器の映像処理装置とこれに接続されるソース機器の映像処理装置をもつ映像処理システムの一例を示すブロック図。
【図２】本発明の一実施形態に係る映像処理装置が有しているＨＤＭＩ端子の信号名を示す説明図。
【図３】本発明の一実施形態に係るシンク機器である映像処理装置の構成の一例を示すブロック図。
【図４】本発明の一実施形態に係るソース機器である映像処理装置の構成の一例を示すブロック図。
【図５】本発明の一実施形態に係るシンク機器が変更の対象とするＥＤＩＤの項目リストの一例を示す説明図。
【図６】本発明の一実施形態に係る映像処理装置のマニュアルモードでのＥＤＩＤ変更処理の一例を示すフローチャート。
【図７】本発明の一実施形態に係るシンク機器のマニュアルモードにおける操作指示画面の一例を示す説明図。
【図８】本発明の一実施形態に係る映像処理装置のガイダンスモードでのＥＤＩＤ変更処理の一例を示すフローチャート。
【図９】本発明の一実施形態に係る映像処理装置のオートモードでのＥＤＩＤ変更処理の一例を示すフローチャート。
【発明を実施するための形態】
【００１２】
以下、この発明の実施の形態について図面を参照して詳細に説明する。
【００１３】
初めに、本発明に係る一実施形態である後述されるＥＤＩＤ変更処理は、ＨＤＭＩケーブルで接続された複数の映像処理装置で構成された映像処理システムにおいて、シンク機器である映像処理装置において行なわれるものである。すなわち、シンク機器から供給されたＥＤＩＤに対して、ソース機器が最新のＥＤＩＤに対応する機能がないため不適切な映像音声信号をシンク機器に送ってしまいシンク機器で音声等が再生できないような場合がある。これに対して、シンク機器においてＥＤＩＤを適宜変更して再びソース機器に送ることで、適正な映像音声信号をソース機器からシンク機器に送ることができるもので、これによりシンク機器において、音声信号等の再生を確実に行なうことができる。
【００１４】
＜本発明に係る一実施形態である映像処理システムの構成の一例＞
次に、このようなＥＤＩＤ変更処理が行なわれるシンク機器２０が示される、本発明に係る一実施形態である映像処理システムの構成の一例を図面を用いて説明する。図１は、本発明の一実施形態に係るシンク機器２０の映像処理装置とこれに接続されるソース機器の映像処理装置をもつ映像処理システムの一例を示すブロック図である。
【００１５】
本発明に係る一実施形態である映像処理システム１は、図１に示すように、ＨＤＭＩケーブル３０１で接続されたシンク機器２０とソース機器３０を有している。なお、ＨＤＭＩケーブル３０１は、映像音声信号の専用線３０２と、制御信号の専用線３０３をもっており、一例として、映像音声信号の専用線３０２は制御信号の専用線３０３より高速に通信を行なう。
【００１６】
シンク機器２０は、ソース機器３０からの映像音声情報を表示し出力するための機器であり、具体的にはテレビ等である。ソース機器３０は、映像音声情報をシンク機器２０へ供給するための機器であり、具体的には、ＨＤ  ＤＶＤプレーヤ等である。
【００１７】
シンク機器２０は、中央演算装置である制御部１３０を持ち、制御部１３０は、記憶部１３１と、ＥＤＩＤ変更部１１１−１を含む通信部１１１と、表示部１４１と、操作部１３２の制御を行う。記憶部１３１は、シンク機器２０自体の制御プログラムや音量・映像表示設定等（後述するＥＤＩＤも含む）の各種設定情報を記憶する部分であり、具体的にはフラッシュメモリやハードディスクドライブ等である。
【００１８】
通信部１１１は、ソース機器３０からの映像・音声信号を受信するとともに、ソース機器３０を制御するためのコマンドを送信したり、ソース機器３０側からのコマンドを受信したりする部分である。具体的には、ＨＤＭＩ（High-Definition Multimedia Interface）や、有線ＬＡＮ（Local Area Network）、無線ＬＡＮ、Ｂｌｕｅｔｏｏｔｈ（登録商標）等である。ＨＤＭＩの場合は、制御コマンドの送受信にＣＥＣ（Consumer Electronics Control）ラインを用いる。
【００１９】
表示部１４１は、機器制御のためのメニュー画面やソース機器３０からの映像を表示したり音声再生を行う部分であり、具体的には、液晶パネルやスピーカ等である。
【００２０】
一方、ソース機器３０は、中央演算装置である制御部２３０を持ち、制御部２３０は、記憶部２３３、通信部２１１、操作部２３２の制御を行う。記憶部２３３は、ソース機器３０自体の制御プログラムや音量・映像表示設定等の各種設定情報を記憶したり、映像・音声信号を保持したりしている部分であり、具体的にはフラッシュメモリやハードディスクドライブ、ＨＤ  ＤＶＤドライブ等である。
【００２１】
通信部２１１は、シンク機器２０へ映像・音声信号を送信するとともに、シンク機器２０を制御するためのコマンド（制御信号）を送信したり、シンク機器２０側からのコマンド（制御信号）を受信したりする部分である。ソース機器３０を制御するためのメニュー画面も、通信部２１１を経由した映像信号としてシンク機器２０へ送られる。シンク機器２０側の通信部１１１と接続可能なインタフェース規格で実装されている部分であり、具体的にはＨＤＭＩ、有線ＬＡＮ（Local Area Network）、無線ＬＡＮ、Ｂｌｕｅｔｏｏｔｈ（登録商標）等である。
【００２２】
・ＨＤＭＩ端子
図２は、本発明の一実施形態に係る映像処理装置が有しているＨＤＭＩ端子の信号名を示す説明図である。
【００２３】
通信部１１１，２１１がＨＤＭＩである場合、ＨＤＭＩ端子は、図２に示すようなコネクタピン配列を有している。特に１３ピンのＣＥＣ信号によって、ＨＤＭＩ−ＣＥＣプロトコルに準拠して定義されたコマンドを送受信することで、相手機器の制御が可能となる。
【００２４】
＜本発明に係る一実施形態である映像処理システムの具体的な一例＞
次に、上述した映像処理システムの具体的な一例を図面を用いて以下に紹介する。図３は、本発明の一実施形態に係るシンク側の映像処理装置の構成の一例を示すブロック図である。図４は、同じくソース側の映像処理装置の構成の一例を示すブロック図である。
【００２５】
・シンク機器２０
シンク機器２０は、図３に示すように、一例として、デジタルテレビジョン装置である。シンク機器２０は、入力側のセレクタ部１１６と、出力側のセレクタ部１１７とを有しており、入力側のセレクタ部１１６には、ＬＡＮや上述したＨＤＭＩやディスプレイポート等の通信部１１１と、いわゆる衛星放送であるＢＳ／ＣＳチューナ部１１２と、いわゆる地上波チューナ部１１３とが接続され、エンコーダ部１２１に信号を出力する。又、ＢＳ／ＣＳチューナ部１１２には衛星アンテナが、地上波チューナ部１１３には地上波アンテナが接続されている。
【００２６】
又、シンク機器２０は、バッファ部１２２と、ＭＰＥＧデコーダ部１２３と、音声映像処理部１２４と、映像信号に操作信号等を重畳するＯＳＤ１２５と、分離部１２９を有しており、これらの各部は、データバスを介して全体の動作を制御する制御部１３０に接続されている。更に、セレクタ部１１７の出力は、表示部１４１に接続される。
【００２７】
更に、シンク機器２０は、ユーザの操作やリモコンＲの操作を受けるリモコン通信部１３３を有している。ここで、リモコンＲは、シンク機器２０の本体に設けられる操作部１３２とほぼ同等の操作を可能とするものであり、チューナの操作、予約録画の設定等、各種設定が可能である。
【００２８】
・ソース機器３０
ソース機器３０は、図４に示すように、一例として、ＨＤ  ＤＶＤを扱うハードディスクレコーダである。ソース機器３０は、図４に示すように、２種類のディスクドライブ部を有する。まず、ビデオファイルを構築できる情報記録媒体である第１のメディアとしての光ディスクＤを回転駆動し、情報の読み書きを実行する光ディスクドライブ部２１９を有する。ここで、光ディスクＤは、一例として、ＨＤ  ＤＶＤであるがこれに限定されるものではない。又、第２のメディアとしてのハードディスクを駆動するハードディスクドライブ部２１８を有する。制御部２３０は、全体の動作を司るべくデータバスを介して各部に接続されている。
【００２９】
又、図４に示されるソース機器３０は、録画側を構成するエンコーダ部２２１と、再生側を構成するＭＰＥＧデコーダ部２２３と、装置本体の動作を制御する制御部２３０とを主たる構成要素としている。ソース機器３０は、入力側のセレクタ部２１６と出力側のセレクタ部２１７とを有しており、入力側のセレクタ部２１６には、ＬＡＮ等の通信部２１１と、いわゆる衛星放送（ＢＳ／ＣＳ）チューナ部２１２と、いわゆる地上波チューナ部２１３とが接続され、エンコーダ部２２１に信号を出力する。又、衛星放送チューナ部２１２には衛星アンテナが、地上波チューナ部２１３には地上波アンテナが接続される。
【００３０】
又、ソース機器３０は、エンコーダ部２２１と、エンコーダ部２２１の出力を受け、データ編集等の所望のデータ処理を行うデータ編集部２２０と、データ編集部２２０に接続されるハードディスクドライブ部２１８と、光ディスクドライブ部２１９を有している。更に、ソース機器３０は、ハードディスクドライブ部２１８と、光ディスクドライブ部２１９からの信号を受けてデコードするＭＰＥＧデコーダ部２２３と、エンコーダ部２２１と、バッファ部２２２と、ＭＰＥＧデコーダ部２２３と、多重化部２２８と、分離部２２９と、制御部２３０と、映像画面に所望の映像を合成するＯＳＤ部２３４と、予約リストや番組表画像を生成する予約録画部２４３を有している。これらの各部は、データバスを介して制御部２３０に接続されている。更に、セレクタ部１７の出力は、外部の図示しない受像機に接続されるか、外部装置との通信を行うインタフェース部２２７を介して、外部装置に供給される。
【００３１】
更に、ソース機器３０は、データバスを介して制御部２３０に接続され、ユーザの操作やリモコンＲの操作を受ける操作部２３２を有している。ここで、リモコンＲは、ソース機器３０の本体に設けられる操作部２３２とほぼ同等の操作を可能とするものであり、ハードディスクドライブ部２１８や光ディスクドライブ部２１９の記録再生指示や、編集指示、チューナの操作、予約録画の設定等の各種設定が可能である。
【００３２】
このような構成のソース機器３０において、光ディスクに例を取って、再生処理と記録処理の概要を説明する。すなわち、制御部２３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００３３】
又、光ディスクの記録処理は、制御部２３０の制御下において、例えば図示しない入力部を介しセレクタ部２１６を介して供給されたデータは、エンコーダ部２２１に供給され、コード化されて出力される。このコード化出力と制御部２３０の出力に応じて、レーザドライバの駆動電流が光ピックアップに供給され、光ディスクＤの記憶領域に照射することで、記録処理が行われるものである。
【００３４】
このように本発明に係る一実施形態であるシンク機器２０及びソース機器３０は、上述したようなテレビジョン装置やハードディスクレコーダ装置等で実施できるものである。しかしながら、これらの実施形態に限定されることはなく、多くの映像処理装置において適用することが可能である。
【００３５】
＜本発明の一実施形態である映像処理装置が行なうＥＤＩＤ変更処理の一例＞
次に、上述したシンク機器２０である映像処理装置によるＥＤＩＤ変更処理の一例をフローチャートを用いて詳細に説明する。
【００３６】
（ＥＤＩＤの一実施形態）
初めに、本発明の一実施形態である映像処理装置が変更処理を行なうＥＤＩＤの一実施形態を説明する。図５は、本発明の一実施形態に係るシンク機器が変更の対象とするＥＤＩＤの項目リストの一例を示す説明図である。
【００３７】
すなわち、ＥＤＩＤ（Extended Display Identification Data）は、ディスプレイ側のシンク機器２０からソース機器３０へ供給される、拡張された識別情報であり、どのような映像音声信号であればシンク機器２０で再生が可能かを示す情報である。その一具体例である、項目リストを以下に示す。
【００３８】
すなわち、
『Header
ID Manufacturer Name
ID Product Code
ID Serial Number
Week of Manufacture
Year of Manufacture
EDID Version Number
EDID Revision Number
Video Input Definition
Max. Horizontal Image Size
Max. Vertical Image Size
Display Transfer Characteristic (Gamma)
Feature Support
Color Characteristics
Established Timings 1
Established Timings 2
Established Timings 3
Standard Timing Identification
Detailed Timing Description #1 - 1080p
(59.94/60Hz)
(preferred)
Detailed Timing Description #2 - 480p 16:9
(59.94/60Hz)
(next preferred)
Monitor Descriptor - Monitor Name
Monitor Descriptor - Monitor Range Limits
Extension Flag
Checksum
Tag
Revision Number
Byte number offset
Total Number of Native Formats
Video Tag
Audio Tag
Vender Specific code Tag
(CEC Physical address)
/* ＨＤＭＩ1.3記述部分(ＤｅｅｐＣｏｌｏｒ,ＬｉｐＳｙｎｃ,ｘｖＹＣＣ) */ 
（この情報を消したり追加したりすることで、後述するＥＤＩＤ変更処理を行なう）
Detailed Timing Description #3 - 1080i
(59.94/60Hz)
Detailed Timing Description #4 - 720p
Horizontal Image Size
Vertical Image Size
Horizontal vertical Image size
Detailed Timing Description #5 - 480p 4:3
(59.94/60Hz)
Detailed Timing Description #6 - 480i 4:3
Checksum  （チェックサムもＥＤＩＤ変更に応じて修正する）』。
【００３９】
上述したように、特に、ＨＤＭＩ１．３の記述部分(ＤｅｅｐＣｏｌｏｒ,ＬｉｐＳｙｎｃ,ｘｖＹＣＣ) *／について、後述するように変更処理を行なうことで、ソース機器で対応できなかったＥＤＩＤを対応可能なＥＤＩＤに変更する。これにより、ソース機器からシンク機器に処理可能な映像音声信号を供給させることにより、シンク機器では、再生不能だった音声信号等を再生可能に改善することができる。
【００４０】
（マニュアルモードによるＥＤＩＤ変更処理）
次に、本発明の一実施形態に係る映像処理装置が行なうマニュアルモードによるＥＤＩＤ変更処理を図面を用いて説明する。図６は、本発明の一実施形態に係る映像処理装置のマニュアルモードでのＥＤＩＤ変更処理の一例を示すフローチャートである。図７は、本発明の一実施形態に係るシンク機器のマニュアルモードにおける操作指示画面の一例を示す説明図である。なお、以下の図６、図８及び図９のフローチャートの各ステップは、回路ブロックに置き換えることができ、従って、各フローチャートのステップは、全てブロックに定義しなおすことが可能である。
【００４１】
シンク機器２０は、ＨＤＭＩ等通信部１１１を有しており、ＨＤＭＩ等通信部１１１は更に、以下のＥＤＩＤ変更処理を行なうためのＥＤＩＤ変更部１１１−１を有している。まず、ＬｉｐＳｙｎｃ、ｘｖＹＣＣ、ＤｅｅｐＣｏｌｏｒの３種類のモードのオン／オフの組み合わせが全部で８種類あるため、各８種類のＥＤＩＤデータを例えば記憶部１３１やＨＤＭＩ等通信部１１１に内蔵する図示しない記憶領域に用意しておく。この各８種類のＥＤＩＤデータのデフォルトの設定値としては、全てのモードがオンである。
【００４２】
シンク機器２０にソース機器３０をＨＤＭＩ接続した時に、音声信号が再生されない等、ソース機器が誤動作を起こしている場合、ＥＤＩＤのオン／オフ設定をオフに変えてみると正常に動作する場合がある。ここで、ＥＤＩＤの設定方法は、マニュアルモード、ガイダンスモード、そしてオートモードと３種類選ぶことができる。
【００４３】
マニュアルで設定する場合は、ＬｉｐＳｙｎｃ、ｘｖＹＣＣ、ＤｅｅｐＣｏｌｏｒのいずれかの設定を変更（オン／オフ）する。変更後、正常に動作した場合は、その設定で終了すればよい。異常動作のままの場合は、別項目の設定を変更してみる。全組み合わせ（８パターン）を試しても（或いは全てオフにしても）異常動作のままの場合は、ＥＤＩＤ設定以外の原因と考えられる。
【００４４】
すなわち、ＨＤＭＩ等通信部１１１のＥＤＩＤ変更部１１１−１と制御部１３０は、図６のフローチャートに示すように、初めに、ＨＤＭＩ接続されているかどうかを判断する（ステップＳ１１）。ＥＤＩＤ変更部１１１−１及び制御部１３０は、ＨＤＭＩ接続を確認すると、更に、ＥＤＩＤ供給後、映像音声信号を受信したかどうかを判断する（ステップＳ１２）。ＥＤＩＤ変更部１１１−１及び制御部１３０は、映像音声信号の受信を確認したら、更に、音声映像処理部１２４がこの音声信号を再生できているかどうかを判断する（ステップＳ１３）。
【００４５】
ＥＤＩＤ変更部１１１−１及び制御部１３０が、この音声信号の再生を確認すると、マニュアルモードでＥＤＩＤ変更処理を行なうかどうかを判断する（ステップＳ１４）。これは、変更部１１１−１及び制御部１３０が、メニュ画面等で設定された仕様等に応じて、ＥＤＩＤ変更がマニュアルモードかガイダンスモードかオートモードかで処理すべきかを判断する（ステップＳ１９）。変更部１１１−１及び制御部１３０が、ガイダンスモードの処理で行なうべきと判断したら、図８のガイダンスモードの処理に転送する（ステップＳ２０）。変更部１１１−１及び制御部１３０が、オートモードの処理で行なうべきと判断したら、図９のオートモードの処理に転送する（ステップＳ２１）。
【００４６】
変更部１１１−１及び制御部１３０が、マニュアルモードの処理で行なうべきと判断したら、図７に示すような操作画面を表示するための映像信号を生成して、ユーザの入力を促す。そして、変更部１１１−１及び制御部１３０は、ユーザの操作による操作信号に応じて、初めに、ＬｉｐＳｙｎｃモードのオン・オフの変更を確認する（ステップＳ１５）。
【００４７】
更に、変更部１１１−１及び制御部１３０は、ｘｖＹＣＣモードのオン・オフの変更を確認し（ステップＳ１６）、ＤｅｅｐＣｏｌｏｒモードのオン・オフの変更を確認する（ステップＳ１７）。そして、確認したユーザの操作による操作信号に応じて、記憶部１３１やＨＤＭＩ等通信部１１１等の図示しない記憶領域に格納されたＥＤＩＤにつき、ＬｉｐＳｙｎｃモード、ｘｖＹＣＣモード、ＤｅｅｐＣｏｌｏｒモードのオン・オフを変更する。これらの変更処理が完了すれば、全ての処理を終了する（ステップＳ１８）。
【００４８】
このように変更部１１１−１及び制御部１３０は、マニュアルモードによるＥＤＩＤ情報の変更を行なうことができる。その後、シンク機器とソース機器３０間において、変更されたＥＤＩＤ情報がシンク機器からソース機器へ供給されると、ソース機器は、新しいＥＤＩＤに応じた適正な映像音声信号をソース機器からシンク機器２０に送ることができるので、シンク機器２０では、映像音声信号の再生処理を確実に行なうことができる。
【００４９】
（ガイダンスモードによるＥＤＩＤ変更処理）
次に、本発明の一実施形態に係る映像処理装置のガイダンスモードによるＥＤＩＤ変更処理を図面を用いて説明する。図８は、本発明の一実施形態に係る映像処理装置のガイダンスモードでのＥＤＩＤ変更処理の一例を示すフローチャートである。
【００５０】
シンク機器２０のＨＤＭＩ等通信部１１１のＥＤＩＤ変更部１１１−１及び制御部１３０は、図８のフローチャートにおいて、図６のステップＳ１９でガイダンスモードが設定されていると判断すると（ステップＳ３１）、次に、シンク機器２０がソース機器３０等の外部機器にＨＤＭＩ接続されており、映像信号を受信しているかどうかを判断する（ステップＳ３２）。
【００５１】
ＥＤＩＤ変更部１１１−１及び制御部１３０は、ＨＤＭＩ接続されていないか、映像音声信号が入力されていなければ、ＨＤＭＩ接続を行い、映像音声信号を入力するようにユーザにうながす画面を表示する（ステップＳ３３）。
【００５２】
ＥＤＩＤ変更部１１１−１及び制御部１３０は、ＨＤＭＩ接続されており、映像音声信号が入力されていると判断すれば、次に、この映像音声信号が再生されているかをユーザに問うための画面、例えば、『現在、ソース機器から与えられている映像音声信号は再生されていますか？』等を画面に表示する（ステップＳ３４）。そして、ＥＤＩＤ変更部１１１−１及び制御部１３０が、映像音声信号は再生できていることを意味する『ＹＥＳ』等のユーザの操作による操作信号を検出したかどうかを確認する（ステップＳ３５）。
【００５３】
ＥＤＩＤ変更部１１１−１及び制御部１３０が、このような映像音声信号は再生できていることを意味する『ＹＥＳ』等のユーザの操作による操作信号を検出すれば、ＥＤＩＤの変更は必要ないことを意味する画面表示する（ステップＳ３６）。
【００５４】
しかし、ＥＤＩＤ変更部１１１−１及び制御部１３０が、このような映像音声信号は再生できていることを意味する『ＹＥＳ』等のユーザの操作による操作信号を検出できなければ、初めに、ｉ＝０とする（ステップＳ３７）。そして、ＥＤＩＤ変更部１１１−１及び制御部１３０により、記憶部１３１又は記憶領域に格納されたＥＤＩＤ情報に関し、ＤｅｅｐＣｏｌｏｒモード、ｘｖＹＣＣモード、ＬｉｐＳｙｎｃモードの優先順位で、一つのモードについて、そのオン・オフを変更する（ステップＳ３８）。
【００５５】
そして、ＥＤＩＤ変更部１１１−１及び制御部１３０は、変更の後、映像音声が再生されているかをユーザに問うための画面を再び表示する（ステップＳ３９）。その結果、ＥＤＩＤ変更部１１１−１及び制御部１３０は、映像音声信号は再生できていることを示す操作信号が確認できれば（ステップＳ４０）、ＥＤＩＤを変更したことで、映像音声が正常に再生できるようになったことを意味する画面表示を行なう（ステップＳ４４）。
【００５６】
しかし、ＥＤＩＤ変更部１１１−１及び制御部１３０は、映像音声信号は再生できていることを示す操作信号が確認できなければ（ステップＳ４０）、ｉ＝ｉ＋１として、ｉをカウントアップする（ステップＳ４１）。そして、ＥＤＩＤ変更部１１１−１及び制御部１３０は、ｉ≧８であり、８つの全パターンを試したかどうかを確認し、全パターンを試していないと判断すれば（ステップＳ４２）、再び、ステップＳ３８に戻って、ＤｅｅｐＣｏｌｏｒ＞ｘｖＹＣＣ＞ＬｉｐＳｙｎｃの優先順位で一つの制御情報だけを選び、その値をオフするべくＥＤＩＤを変更する（ステップＳ３９）。
【００５７】
ＥＤＩＤ変更部１１１−１及び制御部１３０は、このような処理を８つの全パターンについて実行し（ステップＳ４２）、それでも、映像音声信号は再生できていることを示す操作信号が確認できなければ（ステップＳ４０）、ＥＤＩＤを変更したが、他の原因で映像音声信号が正常に再生できないことを画面表示する（ステップＳ４３）。
【００５８】
又、ＥＤＩＤ変更部１１１−１及び制御部１３０は、このような処理を行なっている途中で、映像音声信号は再生できていることを示す操作信号が確認できれば（ステップＳ４０）、ＥＤＩＤを変更したことで、映像音声信号が正常に再生できるようになったことを意味する画面表示を行なう（ステップＳ４４）。
【００５９】
このように、最終的な映像音声信号の再生の確認を、操作を行なっているユーザの判断にまかせることで、一層確実に、ＥＤＩＤ変更による映像音声信号の再生処理を行なうことができる。
【００６０】
（オートモードによるＥＤＩＤ変更処理）
次に、本発明の一実施形態に係る映像処理装置のオートモードでのＥＤＩＤ変更処理を説明する。図９は、本発明の一実施形態に係る映像処理装置のオートモードでのＥＤＩＤ変更処理の一例を示すフローチャートである。
【００６１】
シンク機器２０のＨＤＭＩ等通信部１１１のＥＤＩＤ変更部１１１−１及び制御部１３０は、図９のフローチャートにおいて、図６のステップＳ１９でオートモードが設定されていると判断すると（ステップＳ５１）、次に、シンク機器２０がソース機器３０等の外部機器にＨＤＭＩ接続されており、映像信号を受信しているかどうかを判断する（ステップＳ５２）。
【００６２】
ＥＤＩＤ変更部１１１−１及び制御部１３０は、ＨＤＭＩ接続されていないか、映像音声信号が入力されていなければ、ＨＤＭＩ接続を行い、映像音声信号を入力するようにユーザにうながす画面を表示する（ステップＳ５３）。これらは、ＨＤＭＩ端子のＤＤＣ５Ｖがハイになっていることや、映像信号の有効画素数などを調べることで判定できる。
【００６３】
ＥＤＩＤ変更部１１１−１及び制御部１３０は、ＨＤＭＩ接続されており、映像音声信号が入力されていると判断すれば、ＥＤＩＤ情報のＬｉｐＳｙｎｃモード、ＤｅｅｐＣｏｌｏｒモード、ｘｖＹＣＣモードについて、全てオンする（ステップＳ５４）。その結果、ＥＤＩＤ変更部１１１−１及び制御部１３０は、現在の動作状態がＨＤＭＩモードであるかＤＶＩモードであるかを判断する（ステップＳ５５）。この判定方法は、ＡＶＩ−Ｉｎｆｏパケットが送られてきているかどうかなどの情報から判定できる。これらの詳細な判定方法については、既存の手法を利用するものとし、ここでの説明は省略する。
【００６４】
ＥＤＩＤ変更部１１１−１及び制御部１３０は、現在の動作状態がＨＤＭＩモードであれば、正常に動作していると判断してＥＤＩＤ変更処理を終了する（ステップＳ５６）。
【００６５】
しかし、ＥＤＩＤ変更部１１１−１及び制御部１３０は、現在の動作状態がＤＶＩモードであれば、初めに、ｉ＝０とする（ステップＳ５７）。そして、ＥＤＩＤ変更部１１１−１及び制御部１３０は、ＬｉｐＳｙｎｃモード、ＤｅｅｐＣｏｌｏｒモード、ｘｖＹＣＣモードのオン・オフのパターンを一部変更する（ステップＳ５８）。その後、ＥＤＩＤ変更部１１１−１及び制御部１３０は、変更の結果、現在の動作状態が、ＨＤＭＩモードであるかＤＶＩモードかを判断する（ステップＳ５９）。ＥＤＩＤ変更部１１１−１及び制御部１３０は、判断を行なったら、ｉ＝ｉ＋１とし（ステップＳ６０）、その後、ｉ≧８となり、全パターンについてＥＤＩＤの変更処理と現在の動作状態の確認が終了したかどうかを判断する（ステップＳ６１）。全パターンについて行なわれていなければ、ステップＳ５８に戻って繰り返す。
【００６６】
ＥＤＩＤ変更部１１１−１及び制御部１３０は、全パターンについてＥＤＩＤの変更処理と現在の動作状態の確認が終了したと判断すると、全パターンの中で、ＨＤＭＩモードが確認できたものはあるかどうか判断する（ステップＳ６２）。
【００６７】
この結果、ＥＤＩＤ変更部１１１−１及び制御部１３０は、全てＤＶＩモードであるか、ＨＤＭＩモードが一つか、ＨＤＭＩモードが複数かについて判断する（ステップＳ６３）。
【００６８】
ＥＤＩＤ変更部１１１−１及び制御部１３０が、全てＤＶＩモードであると判断した場合は、ＥＤＩＤの問題ではないため、ＬｉｐＳｙｎｃモード、ＤｅｅｐＣｏｌｏｒモード、ｘｖＹＣＣモードの全てをオンとするパターンにＥＤＩＤを変更する（ステップＳ６４）。
【００６９】
又、ＥＤＩＤ変更部１１１−１及び制御部１３０が、一つにつき、ＨＤＭＩモードとなったと判断すれば、ＨＤＭＩモードとなった設定にＥＤＩＤを変更する（ステップＳ６５）。
【００７０】
又、ＥＤＩＤ変更部１１１−１及び制御部１３０が、複数のパターンにつき、ＨＤＭＩモードとなったと判断すれば、複数のパターンから最適なものを選択し、そのパターンにＥＤＩＤを変更する（ステップＳ６６）。
【００７１】
すなわち、ＥＤＩＤ変更部１１１−１及び制御部１３０は、ＨＤＭＩモードになったものが複数あった場合は、ＬｉｐＳｙｎｃ,ｘｖＹＣＣ,ＤｅｅｐＣｏｌｏｒのオン／オフの組み合わせで、例えば、ＤｅｅｐＣｏｌｏｒ＞ｘｖＹＣＣ＞ＬｉｐＳｙｎｃの優先順位で、例えば、どれか一つオフにすればＨＤＭＩモードになる場合、ＤｅｅｐＣｏｌｏｒ:オン／ｘｖＹＣＣ:オン／ＬｉｐＳｙｎｃ:オフの組み合わせを選ぶ。又、オンの数が多いものを選ぶことも好適である。又、ＨＤＭＩモードになったパターンが複数あった場合は、それらのＬｉｐＳｙｎｃ,ｘｖＹＣＣ,ＤｅｅｐＣｏｌｏｒの制御情報のリストをユーザに提示し、どれをオンにしどれをオフにするかをユーザに選ばせることも好適である。
【００７２】
又、オート設定の場合で、ＥＤＩＤがＥＥＰＲＯＭなどに書かれている場合、書き換えに時間がかかることがあるため、「電源を切らないでください」などの『電源をオフするな』旨の表示を出すことが好適である。又、このオート設定は時間がかかるため、メニューからの設定のみとし、例えばポート切り換え時や電源オン時などには行わないとすることが好適である。
【００７３】
又、ここでの設定値は、電源オン／オフなどではリセットされず、設定の初期化などを行わない限りリセットされないとすることが好適である。
【００７４】
なお、ＥＤＩＤ変更部１１１−１及び制御部１３０は、ＥＤＩＤを書き換えている間は、ソース機器からＥＤＩＤにアクセスされないようにＨＰＤ（Hot Plug Detection）をロウ（Low）にしておく必要がある。又、ＥＤＩＤ変更部１１１−１及び制御部１３０は、ソース機器を確実にリセットするため、５００ｍｓｅｃ程度ＨＰＤをロウ（Low）にした後にハイに戻す。ハイに戻した後、十分な時間待ち、ＨＤＭＩモードになるかどうかを確認し、ならなければ、次のＥＤＩＤデータを書き込む。これを最悪８回繰り返し、それでもＨＤＭＩモードにならない場合は全てオンの設定に戻すため、再度ＥＤＩＤの書き換えを行う。  
以上、説明したように、本発明に係る一実施形態であるシンク機器２０においては、上記したように適宜ＥＤＩＤの変更処理を行なうものである。
【００７５】
これらにより、マニュアルモードでは、ＬｉｐＳｙｎｃ,ｘｖＹＣＣ,ＤｅｅｐＣｏｌｏｒに関するＥＤＩＤ上の記述を、メニューからオン／オフすることができる。
【００７６】
又、これにより「ＨＤＭＩ１．３対応ＥＤＩＤをリード（Read）して誤動作を起こすソース機器」を正常動作させることができる。
【００７７】
又、ガイダンスモードでは、テレビ画面上に指示されるガイドに従ってユーザが操作・確認することによって、確実に映像音声処理の再生状況の判断を行なうことができる。
【００７８】
又、オートモードでは、誤動作を起こしているかどうかの判定及びこれに応じたＥＤＩＤ変更処理を、全て自動的に行なうことができる。
【００７９】
なお、上述した実施形態においては、ＥＤＩＤ情報の不具合による再生不能となる情報は音声信号に限らず映像信号が再生不能となる場合もあり、又、映像信号と音声信号の両方の場合についても本発明の実施形態の範囲であることを述べておく。
【００８０】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【符号の説明】
【００８１】
２０…シンク機器、３０…ソース機器、１１１…通信部、１１１−１…ＥＤＩＤ変更部、１３０…制御部、１３１…記憶部、１４１…音声映像出力部、３０…ソース機器、２１１…通信部、２３０…制御部、２３３…記憶部。
【図１】
0005349663.tif 000002
【図２】
0005349663.tif 000003
【図３】
0005349663.tif 000004
【図４】
0005349663.tif 000005
【図５】
0005349663.tif 000006
【図６】
0005349663.tif 000007
【図７】
0005349663.tif 000008
【図８】
0005349663.tif 000009
【図９】
0005349663.tif 000010